(57)【要約】【課題】  砂を利用して、土木や建築現場などで容易に土留め工事を行ったり、また、あらゆる物体をジャッキの昇降ストローク以上に持ち上げたり下ろしたりすることのできるサンドポストを提供する。【解決手段】  一端面に開口部を有する外箱体１０と、前記外箱体１０に伸縮自在かつ密に侵入配置された内箱体２０と、少なくとも、前記外箱体１０の底壁１１と内箱体２０のバック壁２１との間に形成される空間室Ｒに充填される砂Ｓと、で構成され、前記空間室Ｒに充填される砂Ｓの量を調節することによって前記内箱体２０を外箱体１０から伸縮させる。【選択図】      図１
0003117307.tif 000002
【実用新案登録請求の範囲】
【請求項１】
一端面に開口部を有する外箱体（１０）と、前記外箱体に伸縮自在かつ密に侵入配置された内箱体（２０）と、少なくとも，前記外箱体の底壁（１１）と内箱体のバック壁（２１）との間に形成される空間室（Ｒ）に充填される砂（Ｓ）と，で構成され、前記空間室に充填される砂の量を調節することによって前記内箱体を外箱体から伸縮させてなることを特徴とするサンドポスト。
【請求項２】
前端面に開口部を形成し，底壁（１１）からガイド棒（１２）を前方に横設した外箱体（１０）と、前記外箱体の開口部から密に侵入して前後方向に伸縮自在に配置され，前記外箱体のガイド棒をバック壁（２１）に貫通させ，フロント壁（２２）にジャッキ（６０）を当接させ、補強リブ（２３）を設けた内箱体（２０）と、前記外箱体の底壁と内箱体のバック壁との間に形成される空間室（Ｒ）に充填された砂（Ｓ）と、前記外箱体の下壁の後端部に，前記空間室の砂を抜くために設けられたプラグ（３０）と、前記外箱体の上壁の後端部に，前記空間室に水を流入するために設けられた栓部材（４０）と、前記外箱体の底壁の後面に固定された支持部（５０）とからなることを特徴とするサンドポスト。
【請求項３】
縦長の外箱体（１０）と、前記外箱体に侵入位置し，上端部が昇降の対象である物体（Ｂ）に固定され，底壁（１１）に穿設した孔部（１４）とボール（１５）とで逆止弁（１３）を形成し，かつ，砂（Ｓ）を充填した内箱体（２０）と、  前記外箱体を昇降させるジャッキ（６０）と，からなるポスト体を少なくとも二つ組み合わせて構成し、一方のポスト体である第一ポスト体（１Ａ）の第一ジャッキ（６０Ａ）と他方のポスト体である第二ポスト体（１Ｂ）の第二ジャッキ（６０Ｂ）は交互に所定ストロークを往復するものであり、前記物体を持ち上げる場合には，前記第一ポスト体の第一ジャッキが上昇した際に，第二ポスト体の内箱体の砂が逆止弁を通過して前記外箱体に自然流下して前記内箱体を底上げし，  前記第二ポスト体のジャッキが上昇した際に，第一ポスト体の内箱体の砂が逆止弁を通過して前記外箱体に自然流下して前記内箱体を底上げする動作を繰り返すものであり、前記物体を下げる場合には，前記第一ポスト体の第一ジャッキが下降した際に、第二ポスト体の外箱体の砂が逆止弁を通過して内箱体に自然流入して前記内箱体を底下げし，前記第二ポスト体の第二ジャッキが下降した際に、第一ポスト体の外箱体の砂が逆止弁を通過して内箱体に自然流入して前記内箱体を底下げする動作を繰り返すものであることを特徴とするサンドポスト。
【考案の詳細な説明】
【技術分野】
【０００１】
本考案は、流体である砂（サンド）を利用してあらゆる物体を支持等するサンドポストに関するものである。
【背景技術】
【０００２】
従来から、土木や建築の現場では地面を掘削した後の土留め工事が行われている。この土留め工事は、通常、切梁（支保工）としてＨ鋼などを使用し、張り具として機械式のジャッキ（キリンジャッキ）を使用している。
【０００３】
地面の掘削は、切梁とジャッキを組立てた後にも行われるが、掘削土量や掘削の深さに比例して、切梁に土圧（軸力）が掛かり、掘削完了後、それらを解体する際には、大きな危険と困難性を含み、よって、多大の時間を費やしている。
【０００４】
また、土木や建築現場においては、重量の大きな物体をジャッキによって持ち上げたり、あるいは下ろすといった作業を必要とする場合があるが、ジャッキには一定の昇降ストロークがあり、従って、それ以上の高さに物体を持ち上げることはできないし、また、下ろすこともできない。
【考案の開示】
【考案が解決しようとする課題】
【０００５】
本考案は、こうした問題に鑑み創案されたもので、流体である砂を利用して、土木や建築現場などで容易に土留め工事を行ったり、また、あらゆる物体をジャッキの昇降ストローク以上に持ち上げたり下ろしたりすることのできるサンドポストを提供することを課題とする。
【課題を解決するための手段】
【０００６】
図１乃至図７を参照して説明する。請求項１に記載のサンドポスト１は、一端面に開口部を有する外箱体１０と、前記外箱体１０に伸縮自在かつ密に侵入配置された内箱体２０と、少なくとも、前記外箱体１０の底壁１１と内箱体２０のバック壁２１との間に形成される空間室Ｒに充填される砂Ｓと、で構成され、前記空間室Ｒに充填される砂Ｓの量を調節することによって前記内箱体２０を外箱体１０から伸縮させてなることを特徴とする。
【０００７】
請求項２に記載のサンドポスト１は、前端面に開口部を形成し、底壁１１からガイド棒１２を前方に横設した外箱体１０と、前記外箱体１０の開口部から密に侵入して前後方向に伸縮自在に配置され、前記外箱体１０のガイド棒１２をバック壁２１に貫通させ、フロント壁２２にジャッキ６０を当接させ、補強リブ２３を設けた内箱体２０と、前記外箱体１０の底壁１１と内箱体２０のバック壁２１との間に形成される空間室Ｒに充填された砂Ｓと、前記外箱体１０の下壁の後端部に、前記空間室Ｒの砂Ｓを抜くために設けられたプラグ３０と、前記外箱体１０の上壁の後端部に、前記空間室Ｒに水を流入するために設けられた栓部材４０と、前記外箱体１０の底壁１１の後面に固定された支持部５０とからなることを特徴とする。
【０００８】
請求項３に記載のサンドポスト１は、縦長の外箱体１０と、前記外箱体１０に侵入位置し、上端部が昇降の対象である物体Ｂに固定され、底壁１１に穿設した孔部１４とボール１５とで逆止弁１３を形成し、かつ、砂Ｓを充填した内箱体２０と、前記外箱体１０を昇降させるジャッキ６０と、からなるポスト体を少なくとも二つ組み合わせて構成し、一方のポスト体である第一ポスト体１Ａの第一ジャッキ６０Ａと他方のポスト体である第二ポスト体１Ｂの第二ジャッキ６０Ｂは交互に所定ストロークを往復するものである。
【０００９】
そして、前記物体Ｂを持ち上げる場合には、前記第一ポスト体１Ａの第一ジャッキ６０Ａが上昇した際に、第二ポスト体１Ｂの内箱体２０の砂Ｓが逆止弁１３を通過して前記外箱体１０に自然流下して前記内箱体２０を底上げし、前記第二ポスト体１Ｂの第二ジャッキ６０Ｂが上昇した際に、第一ポスト体１Ａの内箱体２０の砂Ｓが逆止弁１３を通過して前記外箱体１０に自然流下して前記内箱体２０を底上げする動作を繰り返すものである。
【００１０】
また、前記物体Ｂを下げる場合には、前記第一ポスト体１Ａのジャッキ６０が下降した際に、第二ポスト体１Ｂの外箱体１０の砂Ｓが逆止弁１３を通過して内箱体２０に自然流入して前記内箱体２０を底下げし、前記第二ポスト体１Ｂのジャッキ６０が下降した際に、第一ポスト体１Ａの外箱体１０の砂Ｓが逆止弁１３を通過して内箱体２０に自然流入して前記内箱体２０を底下げする動作を繰り返すものであることを特徴とする。
【考案の効果】
【００１１】
請求項１に記載のサンドポスト１は、外箱体１０の内部に内箱体２０を伸縮自在に配置し、底壁１１とバック壁２１との間の空間室Ｒに充填する砂Ｓの量を調節することによって内箱体２０を伸縮させるので、土木建築現場における土留め工事や、重量の大きなものを持ち上げたり下ろしたりする際に使用することができる。
【００１２】
請求項２に記載のサンドポスト１は、外箱体１０の内部に内箱体２０を伸縮自在に配置し、両者間の空間室Ｒに砂Ｓを充填し、当該空間室Ｒに砂Ｓを抜くためのプラグ３０を設けたので、土留め工事におけるいわゆる減圧ピースとして使用することができる。
【００１３】
すなわち、掘削を完了して土留め工事を終える際に、ジャッキ６０を緩めて切梁７０を取り外すが、それに先だって、当該サンドポスト１のプラグ３０を抜いて空間室Ｒの砂Ｓを抜く。これによって内箱体２０が収縮し、切梁７０およびジャッキ６０に作用する土圧（軸力）が速やかに減少するため、ジャッキ６０を容易に緩めることができる。その結果、切梁７０を容易かつ安全に取り外すことができる。
【００１４】
なお、ガイド棒１２をバック壁２１に貫通させているので、内箱体２０の収縮がこのガイド棒１２によって案内され、よって円滑な収縮が行われる。また、内箱体２０には補強リブ２３を設けているので、大きな土圧が作用してもそれに耐えることができる。さらに、栓部材４０を設けているので、当該サンドポスト１が浸水する場合には、この栓部材４０を抜いて空間室Ｒに水を流入させ、この水によって空間室Ｒの砂Ｓをより円滑に抜き出すことができる。さらに、支持部５０を設けているので、砂Ｓを充填している空間室Ｒを外力から効果的に保護することができる。
【００１５】
請求項３に記載のサンドポスト１は、第一ポスト体１Ａと第二ポスト体１Ｂを備えているので、土木建築現場等において、重量の嵩むあらゆる物体Ｂを容易に持ち上げたり、下げることができる。
【００１６】
すなわち、物体Ｂを持ち上げる場合には、まず、第一ポスト体１Ａの第一ジャッキ６０Ａをそれが持つ所定のストローク上昇させる。この際、第二ポスト体１Ｂの内箱体２０の上端部は物体Ｂに固定されているので、当該内箱体２０は物体Ｂに引き上げられて上昇し、それに充填されている砂Ｓが逆止弁１３を通過して外箱体１０（外箱体１０の底壁１１と内箱体２０のバック壁２１との間に形成される空間室Ｒ）に自然流下し、よって、この砂Ｓで内箱体２０を底上げする。
【００１７】
次に、第一ポスト体１Ａの第一ジャッキ６０Ａを収縮して元の状態に戻す。このとき、物体Ｂは、内箱体２０が底上げされた第二ポスト体１Ｂが支持する。また、第一ポスト体１Ａの内箱体２０は物体Ｂに固定されているので上昇状態を維持し、よって、内箱体２０と外箱体１０の間には空間室Ｒが形成され、この空間室Ｒに内箱体２０の砂Ｓが逆止弁１３を通過して侵入し、当該内箱体２０を底上げする。
【００１８】
この状態から第二ポスト体１Ｂの第二ジャッキ６０Ｂを所定ストローク上昇させる。これによって、第一ポスト体１Ａの内箱体２０がさらに上昇し、空間室Ｒが広くなり、そこに内箱体２０の砂Ｓが充填され、当該内箱体２０はさらに底上げされる。
【００１９】
続いて、第二ジャッキ６０Ｂを収縮して元の状態に戻すことによって、空間室Ｒは広がり、そこに内箱体２０の砂Ｓが充填されることによって、当該内箱体２０はさらに底上げされる。こうした動作を繰り返すことによって、物体Ｂを円滑かつ容易に所定の高さまで持ち上げることができる。
【００２０】
なお、物体Ｂを下げる場合には、上記動作と逆の動作を行うことによって達成することができる。すなわち、まず、第一ポスト体１Ａの第一ジャッキ６０Ａを下降させる。これによって、第二ポスト体１Ｂの外箱体１０の砂Ｓが逆止弁１３を通過して内箱体２０に自然流入して内箱体２０を底下げする。次に、第二ポスト体１Ｂの第二ジャッキ６０Ｂを下降させる。これによって、第一ポスト体１Ａの外箱体１０の砂Ｓが逆止弁１３を通過して内箱体２０に自然流入して内箱体２０を底下げする。この動作を繰り返すことによって、物体Ｂを容易に所定位置まで下げることができる。
【考案を実施するための最良の形態】
【００２１】
本考案に係るサンドポスト１の第一実施形態を、図１乃至図４に示す。これは、土木建築現場等において、土を掘削後の土留め工事に使用するものであり、外箱体１０、内箱体２０、砂Ｓ、プラグ３０、栓部材４０および支持部５０とで構成される。
【００２２】
外箱体１０は、前端面に開口部を形成し、底壁１１からガイド棒１２を前方に横設した平面四角形状である。内箱体２０は、外箱体１０の開口部から密に侵入して前後方向に伸縮自在に配置され、外箱体１０のガイド棒１２をバック壁２１に貫通させている。また、フロント壁２２に切梁７０を支持するジャッキ６０の後端面を当接させている。さらに、内部に補強リブ２３を設けている。
【００２３】
砂Ｓは、外箱体１０の底壁１１と内箱体２０のバック壁２１との間に形成される空間室Ｒに、それを満たす状態で充填している。この砂Ｓは、海岸砂、砂丘砂、流砂などを利用することができる。
【００２４】
プラグ３０は、外箱体１０の下壁の後端部に形成した穴部に取付けられ、空間室Ｒの砂Ｓを抜く際に取り除くものである。栓部材４０は、外箱体１０の上壁の後端部に形成した水穴に設けられ、空間室Ｒに水を流入する際に取り除く。また、支持部５０は、外箱体１０の底壁１１の後面に固定している。
【００２５】
なお、サンドポスト１の外箱体１０と支持部５０とは締結部材（ボルトとナット）Ｊによって固定している。また、内箱体２０とジャッキ６０の後端部、およびジャッキ６０の前端部と切梁７０も、同様に締結部材Ｊで固定している。また、サンドポスト１と土壁Ｗとの間には、支持台７１に上載して腹起７２と裏込７３を設けている。なお、空間室Ｒに、温度差等で発生する水分を放出するためのブリーザー（通水口）を設けると良い。
【００２６】
このサンドポスト１は次のような働きをする。すなわち、土木建築現場等において掘削を行う場合に、掘削部分の土壁Ｗの崩落を防止するための土留め工事において切梁７０を横設するが、その際、この切梁７０に適度な圧力を与えるためにジャッキ（キリンジャッキ）６０と共に配置する。
【００２７】
そして、掘削完了後、土留め工事を終える際に、当該サンドポスト１のプラグ３０を抜いて空間室Ｒの砂Ｓを抜く。これによって内箱体２０が収縮し、切梁７０およびジャッキ６０に作用する土圧（軸力）が減少することにより、ジャッキ６０を容易に緩めることができ、その結果、切梁７０を容易かつ安全に取り外すことができる。
【００２８】
なお、ガイド棒１２をバック壁２１に貫通させているので、内箱体２０の収縮がこのガイド棒１２によって案内されて安定姿勢を維持し、よって円滑な収縮が行われる。また、内箱体２０には補強リブ２３を設けているので、大きな土圧が作用してもそれに耐えることができる。
【００２９】
なお、このサンドポスト１には栓部材４０を設けているが、それは、当該サンドポスト１が地下水などによって浸水する工事現場において、この栓部材４０を抜いて空間室Ｒに水を流入させ、この水によって空間室Ｒの砂Ｓをプラグ３０を除去した穴部から円滑に抜き出すためである。
【００３０】
また、外箱体１０の後面に設けた支持部５０は、砂Ｓを充填している空間室Ｒを外力から効果的に保護するために有効である。
【００３１】
本考案に係るサンドポスト１の第二実施形態を、図５乃至図７に示す。これは、土木建築現場等において、重量の嵩む建築部材などの物体Ｂを、持ち上げるために使用するもので、外箱体１０、内箱体２０およびジャッキ６０とで構成されるポスト体を、二つ組み合わせた第一ポスト体１Ａと第二ポスト体１Ｂとで構成される。
【００３２】
外箱体１０は、縦長で円筒状である。内箱体２０は、外箱体１０の内部に密に侵入位置し、上端部が昇降の対象である物体Ｂに固定されており、内部に砂Ｓを充填している。また、底壁１１に孔部１４を複数の穿設し、各孔部１４にボール１５を設けて逆止弁１３を形成している。なお、孔部１４の上端部には突起１４ａを設け、この突起１４ａによってボール１５の上昇限を設定している。
【００３３】
ジャッキ６０は、外箱体１０を昇降させるもので、キリンジャッキなどを使用することができる。第一第一ポスト体１Ａのジャッキ６０（第一ジャッキ６０Ａ）と第二ポスト体１Ｂのジャッキ６０（第二ジャッキ６０Ｂ）は交互に所定ストロークを往復させるものである。
【００３４】
そして、物体Ｂを、次の操作によって持ち上げる。まず、最初の状態（図７（ａ））から第一ポスト体１Ａの第一ジャッキ６０Ａを上昇させて物体Ｂを持ち上げる（同（ｂ））。この際、第二ポスト体１Ｂの内箱体２０（第二内箱体２０Ｂ）の上端部は物体Ｂに固定されているので、当該物体Ｂと共に上昇し、そのバック壁２１と外箱体１０（第二外箱体１０Ｂ）の底壁１１との間に空間室Ｒが形成される。そして、この空間室Ｒに、第二内箱体２０Ｂの砂Ｓが逆止弁１３を通過して自然流下して侵入し、第二内箱体２０Ｂを底上げした状態となる。
【００３５】
次に、第一ポストの第一ジャッキ６０Ａを下降して元の状態に戻す（同（ｃ））。この際、その内箱体２０（第一内箱体２０Ａ）の上端部は物体Ｂに固定されているので外箱体１０（第一外箱体１０Ａ）のみが下降し、両者間に空間室Ｒが形成され、その空間室Ｒに砂Ｓが侵入して第一内箱体２０Ａを底上げする。
【００３６】
続いて、第二ポスト体１Ｂの第二ジャッキ６０Ｂを上昇させて物体Ｂを持ち上げる（同（ｄ））。これによって、第一ポスト体１Ａの第一内箱体２０Ａが物体Ｂと共に上昇し、それによって形成された空間室Ｒに砂Ｓが侵入し、第一内箱体２０Ａを底上げする。
【００３７】
さらに、第二ポスト体１Ｂの第二ジャッキ６０Ｂを収縮する（同（ｅ））。これによって、その第二内箱体２０Ｂと第二外箱体１０Ｂのとの間の空間室Ｒが広げられ、この空間室Ｒに砂Ｓが侵入することによって、第二内箱体２０Ｂはさらに底上げされる。こうした動作を繰り返すことによって、物体Ｂを徐々に持ち上げる。
【００３８】
なお、本考案に係るサンドポスト１は、前記実施形態の逆止弁１３の構造を変えることによって（例えば、突起１４ａの形成位置を、孔部の下端部に設ける）、物体Ｂを下げる場合に使用することもできる。その場合には、まず、第一ポスト体１Ａの第一ジャッキ６０Ａを下降させる。これによって、第二ポスト体１Ｂの空間室Ｒの砂Ｓが逆止弁１３を通過して第二内箱体２０Ｂに自然流入して第二内箱体２０Ｂを底下げする。
【００３９】
次に、第二ポスト体１Ｂの第二ジャッキ６０Ｂを下降させる。これによって、第一ポスト体１Ａの空間室Ｒの砂Ｓが逆止弁１３を通過して第一内箱体２０Ａに自然流入して当該第一内箱体２０Ａを底下げする。こうした操作を繰り返すことによって物体Ｂを徐々に下げることができる。
【図面の簡単な説明】
【００４０】
【図１】本考案の第一実施形態に係るサンドポストの使用状態を示す側面図である。
【図２】図１に示すサンドポストの側面図である。
【図３】図１に示すサンドポストの正面図である。
【図４】図１に示すサンドポストの縦断面図である。
【図５】本考案の第二実施形態に係るサンドポストのポスト体を示す縦断面図である。
【図６】図５に示すポスト体の部分拡大図である。
【図７】本考案の第二実施形態に係るサンドポストの使用例を示す縦断面図である。
【符号の説明】
【００４１】
１          サンドポスト
１Ａ        第一ポスト体
１Ｂ        第二ポスト体
１０        外箱体
１０Ａ      第一外箱体
１０Ｂ      第二外箱体
１１        底壁
１２        ガイド棒
１３        逆止弁
１４        孔部
１４ａ      突起
１５        ボール
２０        内箱体
２０Ａ      第一内箱体
２０Ｂ      第二内箱体
２１        バック壁
２２        フロント壁
２３        補強リブ
３０        プラグ
４０        栓部材
５０        支持部
６０        ジャッキ
６０Ａ      第一ジャッキ
６０Ｂ      第二ジャッキ
７０        切梁
７１        支持台
７２        腹起
７３        裏込
Ｂ          物体
Ｊ          締結部材
Ｒ          空間室
Ｓ          砂
Ｗ          土壁
【図１】
0003117307.tif 000003
【図２】
0003117307.tif 000004
【図３】
0003117307.tif 000005
【図４】
0003117307.tif 000006
【図５】
0003117307.tif 000007
【図６】
0003117307.tif 000008
【図７】
0003117307.tif 000009